(57)【要約】【課題】ボルト本体への挿入ピンの打ち込み抵抗を低減し、拡開部分の大きさとボルトの肉厚とのバランスを適切に設定して高い締結力が得られ、先端部の拡開のタイミングやナット締結位置を容易に認識できる等の作業性の高いブラインドボルトを提供する。【解決手段】先端部２ａを軸線方向に沿って複数に分割する先細りのスリット２４を有するとともに、半径方向に膨拡された膨拡部２２を備え、後端部２ｂにナット５を螺合させるおねじ部２３を形成し、軸線方向に延びる貫通孔２１を有するボルト本体２と、このボルト本体２の貫通孔２１に挿入される挿入ピン３とを備え、前記ボルト本体２の先端面の輪郭形状は、複数の円弧からなる擬似多角形とし、挿入ピン３が前記貫通孔２１を挿通してスリット２４内に進入することにより、前記先端部２ａの膨拡部２２を半径方向に拡開させて締結物Ｘを係止する。【選択図】      図１
2004332848.tif 000002
【特許請求の範囲】
【請求項１】
先端部を軸線方向に沿って複数に分割する先細りのスリットを有するとともに、半径方向に膨拡された膨拡部を備え、後端部にナットを螺合させるためのおねじ部を形成し、軸線方向に延びる貫通孔を有するボルト本体と、
このボルト本体の後端から前記貫通孔に挿入される挿入ピンとを備え、
前記ボルト本体の先端面の輪郭形状は、複数の円弧からなる擬似多角形であり、
前記挿入ピンが前記貫通孔を挿通してスリット内に進入することにより、前記先端部が拡開して、前記膨拡部が半径方向に突出されることを特徴とするブラインドボルト。
【請求項２】
請求項１において、挿入ピンによってボルト本体の先端部が拡開された場合、膨拡部の外径がおねじ部の外径よりも約３０％半径方向に突出されることを特徴とするブラインドボルト。
【請求項３】
請求項１または請求項２において、膨拡部の外径をおねじ部の外径の約１．３倍に形成し、スリット幅を前記膨拡部の外径寸法と締結物の下穴径寸法との差を基準にして前記おねじ部の外径の０．２１〜０．２７倍の範囲になるように形成し、締結物の下穴に挿通する間、前記膨拡部がその下穴内周面に摺接して抵抗を受けるように前記ボルト本体の先端部を予め縮径させてなることを特徴とするブラインドボルト。
【請求項４】
請求項１から請求項３のいずれかにおいて、先端部における膨拡部より後方部分の外径は、挿入ピンが挿入されて拡開されると、おねじ部よりも半径方向に突出して締結物の下穴に当接する大きさに形成されているとともに、軸線方向に沿って共回り防止用の縦溝が形成されていることを特徴とするブラインドボルト。
【請求項５】
請求項１から請求項４のいずれかにおいて、挿入ピンを貫通孔内に挿入する際のピン挿入抵抗力が、膨拡部を締結物の下穴に挿通する際のボルト挿通抵抗力よりも大きくするための挿通抵抗体を前記挿入ピンの外周面に備えていることを特徴とするブラインドボルト。
【請求項６】
請求項５において、前記挿通抵抗体は、挿入ピンの長手方向における中間近傍若しくはそれよりも後方側の位置に、半径方向に膨拡された膨拡抵抗部を備えており、この膨拡抵抗部の表面に抵抗溝が形成されていることを特徴とするブラインドボルト。
【請求項７】
請求項６において、膨拡抵抗部は、挿入方向に径が小さくなるテーパ状に形成されており、その挿入方向前側の寸法を、貫通孔内に嵌合して挿入ピンの抜けを防止する程度の外径に形成し、その挿入方向後側の寸法を、貫通孔との摩擦によるピン挿入抵抗力がボルト挿通抵抗力よりも大きくなる外径に形成したことを特徴とするブラインドボルト。
【請求項８】
請求項１から請求項７のいずれかにおいて、ボルト本体の先端部は、締結物の下穴を挿通する際に膨拡部が受ける圧縮力に対して縮径し、下穴を挿通後に半径方向に復元する弾性力を備えた材料により形成したことを特徴とするブラインドボルト。
【発明の詳細な説明】
【０００１】
【発明の属する技術分野】
本発明は、内部や裏側に手が届かない部材に他の部材を締結する場合に片側からの操作によって締結できるブラインドボルトに関するものである。
【０００２】
【従来の技術】
従来から壁の内側等のように手が入れられない場所や部材に他の部材を締結する場合にブラインドボルトが用いられている。例えば、特開２０００−１５４８１０号公報には、片側面からピンを打ち込んで固定し、固定後の増し締めを可能にすることを目的とする抜け止め機能付きボルトが記載されている（特許文献１）。この抜け止め機能付きボルトは、ナットがねじ嵌合されるおねじロッドの軸心に中心孔が穿設されており、このおねじロッドの端部に中心孔に至るスリット状の「割り」が形成され、この割りの部分が前記中心孔に強制的に嵌入されるピンによって拡開可能とされている。そして、そのピンの嵌入により拡開された拡開部とナットとの間で部材を締結するようになっている。
【０００３】
【特許文献１】
特開２０００−１５４８１０号公報
【０００４】
【発明が解決しようとする課題】
しかしながら、特開２０００−１５４８１０号公報に記載された抜け止め機能付きボルトでは、ピンを中心孔に嵌入すると、ピンの先端部は分割された分割片の角部に当接する。そのため、ピンを打ち込んで、おねじロッドの中心孔に進入させると、ピンが分割片の中心側の角部を潰しながら軸線方向に進むことになる。したがって、ピンの打ち込み抵抗が大きいという問題がある。
【０００５】
また、上記従来の抜け止め機能付きボルトでは、割り部の端部が締結物の裏側でテーパ状に拡開変形し、この拡開した変形部の外周面が締結物の下穴に摺接して、この摩擦力によってロッドの抜けを防止している。しかし、その拡開変形部によって締結物に引っ掛かる部分は、非常に限定的で小さい。このため、軸方向に引張力が作用すると、ロッドが軸方向に移動し易く、締め付けが緩んでしまうおそれがある。このような緩みを防止するために、拡開変形部をより大きく拡開させることも考えられるが、この場合、従来のボルトの構成では、外径の大きなピンを嵌入するしかなく、つまり、中心孔をより大きく穿設しなければならず、結局、おねじロッドの肉厚が薄くなり、ボルト全体の強度が著しく低下してしまい意味がない。
【０００６】
さらに、従来の抜け止め機能付きボルトでは、変形部を拡開させるタイミングがわからない。つまり、おねじロッドをどれぐらい下穴に挿入すれば、最も下穴に強く引っ掛かる位置で拡開できるか不明である。おそらく現実的には、締結物及び被締結物の厚さを正確に測定しておき、この厚さに合わせて予めナットの締め付け位置を決めておかねば、適当な位置を知ることはできないであろう。これではとても面倒である。
【０００７】
さらにまた、前述の抜け止め機能付きボルトでは、おねじロッドとピンとは、一体的な構成ではなく、ばらばらに構成されている。このため、保管や持ち運びが不便である。特に、外径寸法が数ｍｍ〜十数ｍｍと多岐に渡るブラインドボルトにおいては、適合するピンをその都度探さねばならず極めて煩わしい。
【０００８】
また、従来の抜け止め防止機能付きボルトでは、拡開変形部によって軸線方向の抜け止めはできるが、ナットを締め付ける際の周方向への共周りを防ぐことはできない。ナットと共にロッドが共周りすると、締結力が十分に得られないし、共周りの際に生じる摩擦によって下穴が削られ緩みやすいという問題がある。
【０００９】
本発明は、このような問題点を解決するためになされたものであって、ボルト本体への挿入ピンの打ち込み抵抗を低減できるとともに、拡開部分の大きさとボルトの肉厚とのバランスを適切に設定して安定的な高い締結力が得られ、また、挿入ピンの打ち込みによる拡開のタイミングやナット締めの位置を容易に認識できるし、共周りを防止できる等、作業性に優れたブラインドボルトを提供することを目的とする。
【００１０】
【課題を解決するための手段】
本発明に係るブラインドボルトの特徴は、先端部を軸線方向に沿って複数に分割する先細りのスリットを有するとともに、半径方向に膨拡された膨拡部を備え、後端部にナットを螺合させるためのおねじ部を形成し、軸線方向に延びる貫通孔を有するボルト本体と、このボルト本体の後端から前記貫通孔に挿入される挿入ピンとを備え、前記ボルト本体の先端面の輪郭形状は、複数の円弧からなる擬似多角形であり、前記挿入ピンが前記貫通孔を挿通してスリット内に進入することにより、前記先端部が拡開して、前記膨拡部の外径が半径方向に突出される点にある。このとき、膨拡部の外径は、おねじ部の外径よりも約３０％半径方向に突出されることが好ましい。
【００１１】
また、本発明では、ボルト先端部の膨拡部の大きさ、拡開の程度、およびボルトの肉厚を考慮し、締結力と全体強度とのバランスを最適にするために、膨拡部の外径をおねじ部の外径の約１．３倍に形成し、スリット幅を前記膨拡部の外径寸法と締結物の下穴径寸法との差を基準にして前記おねじ部の外径の０．２１〜０．２７倍の範囲になるように形成し、締結物の下穴に挿通する際に前記膨拡部がその下穴内周面に摺接する外径を備えるように前記ボルト本体の先端部を予め縮径させてなることが好ましい。
【００１２】
さらに、本発明では、ボルト本体の引っ張り強度を高め、かつ、ナット締結時の共回りを防止するため、先端部における膨拡部より後方部分の外径は、挿入ピンが挿入されて拡開されると、おねじ部よりも半径方向に突出して締結物の下穴に当接する大きさに形成されているとともに、軸線方向に沿って共回り防止用の縦溝が形成されているが好ましい。
【００１３】
また、本発明では、挿入ピンをボルト本体に一体的に取り付けておき、かつ、ブラインドボルトを下穴に挿通させる際に、前記挿入ピンを叩いても、この挿入ピンは貫通孔に進入せず、ボルト本体だけが下穴に挿通されるようにするため、挿入ピンを貫通孔内に挿入する際のピン挿入抵抗力が、膨拡部を締結物の下穴に挿通する際のボルト挿通抵抗力よりも大きくするための挿通抵抗体を前記挿入ピンの外周面に備えていることが好ましい。この際、前記挿通抵抗体は、挿入ピンの長手方向における中間近傍若しくはそれよりも後方側の位置に、半径方向に膨拡された膨拡抵抗部を備えており、この膨拡抵抗部の表面に抵抗溝が形成されるように構成してもよい。さらに、その膨拡抵抗部は、挿入方向に径が小さくなるテーパ状に形成されており、その挿入方向前側の寸法を、貫通孔内に嵌合して挿入ピンの抜けを防止する程度の外径に形成し、その挿入方向後側の寸法を、貫通孔との摩擦によるピン挿入抵抗力がボルト挿通抵抗力よりも大きくなる外径に形成するようにしてもよい。
【００１４】
さらに、本発明では、膨拡部が下穴を完全に通過したタイミングを容易に感知するため、ボルト本体の先端部は、締結物の下穴を挿通する際に膨拡部が受ける圧縮力に対して縮径し、下穴を挿通後に半径方向に復元する弾性力を備えた材料により形成することが好ましい。
【００１５】
【発明の実施の形態】
以下、本発明に係るブラインドボルトの実施形態について図面を用いて説明する。図１は、本発明に係るブラインドボルト１の実施形態を示す正面図であり、図２は図１の矢印Ａから見た側面図であり、図３は図２のＢ−Ｂ線における断面図である。
【００１６】
図１から図３に示すように、本実施形態のブラインドボルト１は、軸線上に貫通孔２１が穿設されたボルト本体２と、この貫通孔２１に挿入される挿入ピン３とから構成されている。ボルト本体２の先端部２ａにはスリット２４および膨拡部２２が形成され、後端部２ｂにはおねじ部２３が形成されている。そして、おねじ部２３にはワッシャ４を介してナット５が螺合され、このナット５と膨拡部２２とによって締結物Ｘに被締結物Ｙを締結するようになっている。
【００１７】
本実施形態の各構成部についてより詳細に説明すると、ボルト本体２の先端部２ａには、半径方向に膨拡された膨拡部２２が形成されている。この膨拡部２２を含む先端部２ａには、軸線方向に沿ってスリット２４が形成されており、このスリット２４は貫通孔２１と連通している。このスリット２４によって、図２に示すように、ボルト本体２の先端部２ａが略十字形状に４つに分割されている。
【００１８】
また、ボルト本体２の先端部２ａは、先細りするように縮径され、その外周面が先端に向かってテーパ状に傾斜されている。これにより、スリット２４の幅は先端に向かって徐々に狭くなっている。また、図２に示すように、膨拡部２２は、その先端面の輪郭形状が４つの円弧状の分割片２２ａ，２２ａ，…からなる擬似四角形に形成されている。
【００１９】
この膨拡部２２の縮径の程度は、締結物Ｘ及び被締結物Ｙの下穴ｈに挿通する際、その内周面に摺接して軽い抵抗で挿通できる程度まで縮径されている。本実施形態では、膨拡部２２をおねじ部２３の外径（基準寸法）より約３０％大きい外径に形成しておき、その後、下穴ｈに軽い抵抗で貫通する程度まで縮径することを考慮し、スリット２４の幅をおねじ部２３の外径の約０．２１〜０．２７倍に形成する。これにより、分割片２２ａ，２２ａ…の先端が接触する手前まで約３０％弱に縮径するようになっている。なお、スリット２４の幅は、おねじ部２３の外径の約０．２１〜０．２７倍の範囲内で、膨拡部２２と下穴ｈとの径寸法の差を基準にして決定される。通常、下穴ｈはボルト径（おねじ部２３の外径）よりも０．５ｍｍ〜１．０ｍｍ大きく穿設されるので、この下穴径のぶれを考慮して最終的なスリット幅が決定される。
【００２０】
このような大きさに設定するのは、拡開した膨拡部２２の大きさと、縮径するためのスリット２４の幅とのバランスを考慮するからである。もちろん、膨拡部２２が大きい程、拡開したときに締結物Ｘに係止する面積が大きくなるので好ましいが、逆に、下穴ｈに挿通させるために縮径度も大きくしなければならず、このためにはスリット２４の幅を大きしカッティングしなければならない。さらに、拡開度を大きくするために、大径の挿入ピン３を挿入しなければならず、このための貫通孔２１も大きく穿設しなければならなくなり、結局、ボルト本体２の肉厚が薄くなってしまう。このように係止力として必要な膨拡部２２の大きさと、強度として必要なボルト本体２の肉厚とを試行錯誤した結果、最適と思われる数値が、上記の範囲である。
【００２１】
また、先端部２ａにおける膨拡部２２より後方部分は、共回り防止部２５とされている。この共回り防止部２５は、おねじ部２３の外径よりも約０．７ｍｍ程度大きく形成されており、図４に示すように、縮径された状態から挿入ピン３により拡開されると、半径方向に膨拡されて締結物Ｘの下穴ｈに当接するようになっている。そして、この共回り防止部２５の外周面には、ローレットによって軸線方向に縦溝２５ａが形成されており、下穴ｈとの摩擦力を高められるようになっている。これにより、縦溝２５ａは、ナット５の締め付けの際にブラインドボルト１が一緒に回ってしまうのを防止する。
【００２２】
これら膨拡部２２及び共回り防止部２５から構成される先端部２ａは、締結物Ｘの下穴ｈを挿通する際に、膨拡部２２が受ける圧縮力に対して縮径するとともに、下穴ｈを挿通した後に半径方向に復元する弾性力を備えた材料により形成されている。例えば、焼き鈍しされた鉄であるとか、プラスチック素材等が挙げられる。
【００２３】
つぎに、挿入ピン３について説明する。挿入ピン３は、ボルト本体２の貫通孔２１に挿入されて、ボルト本体２の縮径されている分割片２２ａ，２２ａ…を半径方向に拡開するためのものである。このため、挿入ピン３全体としては、貫通孔２１よりも小径であって、ボルト本体２よりやや長めに形成されている。また、挿入ピン３の先端はテーパ状に形成されており、スリット２４内に進入する際の打ち込み抵抗を低減するようになっている。
一方、挿入ピン３の後端には、径の大きい打込部３１が形成されている。
【００２４】
また、挿入ピン３は、ボルト本体２に挿入された状態で保持されている。つまり、挿入ピン３の先端が貫通孔２１内の先端部２ａまで達したときに、ボルト本体２の後端における貫通孔２１に嵌合し得る挿通抵抗体３２が挿入ピン３の外周面に形成されている。図１に示すように、この挿通抵抗体３２は、後端に向かって徐々に拡大されるテーパ状の膨拡抵抗部３２ａとして形成されており、長手方向にそって抵抗溝３３が形成されている。なお、この抵抗溝３３を挿入ピン３の長手方向に対して斜めに形成し、より高い抵抗力を生じさせるようにしてもよい。
【００２５】
この膨拡抵抗部３２ａの外形寸法は、挿入方向前側の部分を、貫通孔２１内に嵌合して挿入ピン３の抜けを防止し得る程度の外径に形成し、挿入方向後側の部分を、貫通孔２１に挿入するピン挿入抵抗力が、ボルト挿通抵抗力よりも大きくなるような外径に形成している。換言すれば、膨拡抵抗部３２ａの挿入方向前側はピン抜け防止機能を果たし、挿入方向後側はピン挿入防止機能を果たす。
【００２６】
なお、膨拡抵抗部３２ａは挿入ピン３の全周に形成せずに、適宜な間隔を隔てて放射状に形成するようにしてもよい。また、挿通抵抗体３２は、適当な高さの突起物を挿入ピン３に形成して抵抗を高めるようにしてもよい。
【００２７】
つぎに、このような構成を備えた本実施形態におけるブラインドボルト１の作用について図５から図１０を参照しつつ説明する。
【００２８】
内部に手が届かない締結物Ｘに被締結物Ｙを締結させる場合、その締結物Ｘおよび被締結物Ｙに下穴ｈを穿孔しておく。ボルト本体２には、貫通孔２１に挿入ピン３が挿入され、膨拡抵抗部３２ａによって貫通孔２１から抜け落ちないように保持されている。
【００２９】
そして、ブラインドボルト１の先端部２ａを下穴ｈに挿入し、挿入ピン３の打込部３１をハンマーで軽く叩く。このとき、膨拡抵抗部３２ａのピン挿入防止機能により、挿入ピン３の挿入抵抗力がボルト挿通抵抗力よりも大きいので、挿入ピン３は挿入されることなく、ブラインドボルト１を下穴ｈに挿通できる。また、下穴ｈに挿通される間、ボルト本体２の先端部２ａは、下穴ｈにより軸心方向に圧縮されるが、その先端部２ａの有する弾性力によって弾性変形し（図６参照）、前記下穴ｈに摺接しながら進行する（図７参照）。
【００３０】
さらにボルト本体２を打ち込むと、膨拡部２２が下穴ｈを完全に通過し、下穴ｈとの当接状態が解放される。このとき、膨拡部２２と下穴ｈとの当接面に生じていた摩擦力が無くなるので、作業者は膨拡部２２が下穴ｈを完全に通過したことを感知する。また、ボルト本体２は弾性を備えた材料により形成されているため、膨拡部２２が半径方向に拡開して復元する（図８参照）。これにより、ブラインドボルト１の締結位置が定まるので、作業者は挿入ピン３の打ち込み開始の契機を知ることができる。
【００３１】
この位置でワッシャ４を被締結物Ｙに当接させてナット５を仮締めする。これにより、ボルト本体２がその位置より下穴ｈに深く挿入されるのを防止する。この状態で挿入ピン３を強く打ち込むと、ボルト本体２はナット５により固定された状態なので、膨拡抵抗部３２ａが潰されつつ貫通孔２１内に進入する。さらに、図９に示すように、挿入ピン３はスリット２４の間隙に進入して先端部２ａを拡開する（図９参照）。このとき、スリット２４は貫通孔２１との連通部分から緩やかな傾斜で先細りするように形成されているため、挿入ピン３は先端部２ａを容易に拡開する。図４に示すように、先端部２ａの膨拡部２２は、下穴ｈよりも大きく外側に拡開され、先端部２ａの共回り防止部２５は、下穴ｈの内周面に当接する。
【００３２】
そして、ナット５を締め付けると、ボルト本体２は挿通された方向とは逆方向に引き寄せられる（図１０参照）。これにより、膨拡部２２は締結物Ｘの内壁に当接し、さらにナット５を締め付けることにより、被締結物Ｙを締結物Ｘに締結する。このナット５の締め付けの際、回転トルクによってボルト本体２が周方向の回転力を受けるが、共回り防止部２５の縦溝２５ａが下穴ｈの内周面に食い込んで回転を抑止し、共回りを防止する。これにより強固な締結力が得られる。
【００３３】
以上のような本実施形態によれば、挿入ピン３を貫通孔２１に挿通すると、挿入ピン３は先細りするように形成されたスリット２４のテーパ面に当接しつつ拡開するため、打ち込み抵抗を低減することができる。また、先端部２ａの外周面と下穴ｈとの摩擦力によって挿入ピン３の抜けを防止するのではなく、膨拡部２２が半径方向におねじ部２３の外径よりも約３０％突出して締結物Ｘの内壁に当接するため、高い締結力を得ることができる。
【００３４】
また、膨拡部２２の外径をおねじ部２３の外径の約１．３倍に形成し、スリット２４の幅をおねじ部２３の外径の０．２１〜０．２７倍に形成しているので、先端部２ａが拡開されたとき、本ブラインドボルト１として好適な締結力とボルト強度がバランス良く得られる。
【００３５】
さらに、共回り防止部２５が下穴ｈに当接するため、締結後の引っ張り抵抗を高めることができるし、共周りを防止して強固な締結力を得ることができる。
【００３６】
また、挿入ピン３に形成した膨拡抵抗部３２ａによって、挿入ピン３がボルト本体２の貫通孔２１内に保持されて抜け落ちないようにできるし、また、挿入ピン３が不用意に貫通孔２１内を進入するのを防止するため、ボルト本体２の先端部２ａが誤って拡開することがない。
【００３７】
さらに、ボルト本体２の膨拡部２２の縮径度、及び先端部２ａの弾性力によって、ブラインドボルト１が下穴ｈを貫通した時点を容易に感知できるので、挿入ピン３の打ち込みタイミングを容易に知ることができる。これにより、締結物Ｘ及び被締結物Ｙの厚さを正確に測定する煩わしさから開放され、誤った位置での拡開作業や締結作業をすることがない。
【００３８】
【実施例】
つぎに、本実施形態のブラインドボルト１の具体的な実施例について説明する。各実施例では、ボルト径の異なるＭ６、Ｍ８、Ｍ１０、Ｍ１２、Ｍ１６、Ｍ２０、Ｍ２４の各ブラインドボルト１について最適な拡開径、スリット幅、挿入ピン径および下穴径の値を求めた。その数値を図１１に示す。
【００３９】
図１１に示すブラインドボルト１は、下穴ｈの径はおねじ部２３の径より０．５ｍｍだけ大きく形成される場合を想定している。以上のようなブラインドボルト１によれば、打ち込み抵抗が低減されるとともに、高い締結性を示し、例えば、Ｍ１２のブラインドボルト１では、約３９．２ｋＮの破断強度を示した。
【００４０】
なお、本発明に係るブラインドボルト１は、前述した実施形態に限定されるものではなく、適宜変更することができる。
【００４１】
例えば、本実施形態では、スリット２４を断面略十字形状に形成してボルト本体２の先端部２ａを４等分に分割しているが、これに限らず、ボルト本体２の先端を径方向に３等分や６等分など適宜分割するようにしてもよい。
【００４２】
【発明の効果】
以上説明したように本発明によれば、挿入ピンの打ち込み抵抗を低減できるとともに、拡開部分の大きさとボルトの肉厚とのバランスを適切に設定して安定した高い締結力を得ることができる。また、膨拡部を拡開するタイミングやナットの締め付け位置を容易に認識できるし、ナットとの共周りを防止できる等、作業性を高めることができる等の効果を奏する。
【図面の簡単な説明】
【図１】本発明に係るブラインドボルトの実施形態を示す正面図である。
【図２】図１の矢印Ａから見た側面図である。
【図３】図２のＢ−Ｂ線における断面図である。
【図４】本実施形態においてボルト本体の貫通孔内に挿入ピンが挿通されて先端部が拡開された状態を示す、（ａ）正面図、（ｂ）左側面図である。
【図５】本実施形態のブラインドボルトを下穴に嵌入する前の状態を示す図である。
【図６】本実施形態のブラインドボルトにおける先端部が弾性変形した状態を示す図である。
【図７】本実施形態のブラインドボルトを下穴に挿入した状態を示す図である。
【図８】本実施形態のブラインドボルトにおける膨拡部が下穴を通過した状態を示す図である。
【図９】本実施形態のブラインドボルトにおける挿入ピンを打ち込んだ状態を示す図である。
【図１０】本実施形態のブラインドボルトにおけるナットを締め付けた状態を示す図である。
【図１１】本実施形態における実施例の最適値を示す表である。
【符号の説明】
１  ブラインドボルト
２  ボルト本体
２ａ  先端部
２ｂ  後端部
３  挿入ピン
４  ワッシャ
５  ナット
２１  貫通孔
２２  膨拡部
２２ａ  分割片
２３  おねじ部
２４  スリット
２５  共回り防止部
２５ａ  縦溝
３１  打込部
３２  挿通抵抗体
３２ａ  膨拡抵抗部
３３  抵抗溝
ｈ  下穴
Ｘ  締結物
Ｙ  被締結物
【図１】
2004332848.tif 000003
【図２】
2004332848.tif 000004
【図３】
2004332848.tif 000005
【図４】
2004332848.tif 000006
【図５】
2004332848.tif 000007
【図６】
2004332848.tif 000008
【図７】
2004332848.tif 000009
【図８】
2004332848.tif 000010
【図９】
2004332848.tif 000011
【図１０】
2004332848.tif 000012
【図１１】
2004332848.tif 000013